(57)【特許請求の範囲】
【請求項１】
時計ムーブメント（５）を含む時計（１）であって、この時計ムーブメント（５）は、
時間を表示するための時間測定システム（１１）と、前記時間測定システムに接続し、日付を表示するための日付システム（１３）とを含み、
前記日付システム（１３）は、連続的に動くタイプの表示と、修正動作の間、前記時間の動きに対する前記連続的な動きの関係を維持しながら、１２時（矢印Ａ）のステップにおいて、任意の時間に前記日付表示を修正することができる修正デバイス（１２）とを含むことを特徴とする、前記時計（１）。
【請求項２】
前記日付システム（１３）は、３１日で完全な一回転を与えるように、減速ギヤ（２３）によって前記時間測定システム（１１）に永久接続される駆動ホイール（２１）からなる歯車列（１５）を含むことを特徴とする、請求項１に記載の時計（１）。
【請求項３】
前記日付システム（１３）の歯車列（１５）は、前記時間測定システム（１１）の時間ホイールと噛み合うことを特徴とする、請求項２に記載の時計（１）。
【請求項４】
前記歯車列（１５）は、更に、前記日付表示の可動部（１６、１８’）を駆動する被駆動ホイール（２５）からなり、前記修正デバイス（１２）は、前記被駆動ホイール（２５）に接続している中間ホイール（２７）と接続手段（１７）とからなり、修正動作がなされないときに、前記駆動ホイールは前記被駆動ホイール（２５）を駆動することを特徴とする、請求項２または請求項３に記載の時計（１）。
【請求項５】
前記接続手段（１７）は、前記中間ホイール（２７）が起動されるときに、被駆動ホイール（２５）と駆動ホイール（２１）間の相対的な動きが前記時間の動きに対する駆動ホイール（２１）の前記連続的な動きの関係を妨害しないように、被駆動ホイール（２５）に取り付けられ、かつ、前記駆動ホイール（２１）と一体化されたジャンパー・スプリング（２９）と関連する６２個の歯を有する星形ホイール・タイプの歯（２６）によって形成されることを特徴とする、請求項４のいずれか一項に記載の時計（１）。
【請求項６】
前記日付表示は、針（１６、１８）を有するタイプのものであることを特徴とする、請求項１〜５のいずれか一項に記載の時計（１）。
【請求項７】
前記日付表示は、ディスク（１６’、１８’）を有するタイプのものであることを特徴とする、請求項１〜６のいずれか一項に記載の時計（１）。
【請求項８】
前記日付システム（１３）は、少なくとも月の日にちを表示することを特徴とする、請求項１〜７のいずれか一項に記載の時計（１）。
【発明の詳細な説明】
【技術分野】
【０００１】
本発明は時計の日付システムに関し、更に詳しくは、一日又は半日ステップで修正する修正デバイスを含むタイプの時計に関する。
【背景技術】
【０００２】
日付システムは、測時学の分野において普及している。最もよく知られているシステムは、月の日にちの表示に関する。この日付を表示するために現在使用されているメカニズムは、針又はディスクを使用したドラッグする、即時の又は半即時のデバイスである。現在使用されているこれらのメカニズムはどれも、真夜中頃の日付の変更のためのエネルギーを供給するため、ある期間エネルギーを蓄えなければならない。
【０００３】
この動作モードは、バランスの振幅に変動を生じさせ、この変動は前記エネルギー蓄積位相の期間中の時計の働きに有害である。更に、この動作モードは、針又はディスクにとって加速と衝撃（accelerations and shocks）となり、日付システムの調整を敏感にする。ついには、これらのシステムは、日付変更の近くに日付を修正することを困難にし、ダメージを回避するために安全装置の使用を必要とする。
【発明の概要】
【０００４】
本発明の目的は、エネルギーの消費が動作中ほぼ一定で、かつ、シンプルな（簡単化された）修正デバイスを使用する日付システムを提案することによって、前述の欠点の全てを解決することである。
【０００５】
本発明は、従って、時計ムーブメントを含む時計に関するもので、この時計ムーブメントは、時間を表示するための時間測定システムと、この時間測定システムに接続し、日付を表示するための日付システムとを含み、日付システムは、連続的に動く表示と、修正動作の間、前記時間の動きに対する前記連続的な動きの関係を維持しながら、予め定められたステップに従って、任意の時間に前記日付表示を修正することができる修正デバイスとを含むことを特徴とする。
【０００６】
従って、明らかなことは、日付は、もはや真夜中頃変更されるのではなくて、連続的に、一定のエネルギー消費を達成し、かつ、バランスの動きをほぼ一定にするということである。更に、この日付システムは、含む部品がより少なく、従って、前記修正デバイスを具備してさえ構成するのがより簡単である。
【０００７】
本発明の他の有益な特徴によると、それらは下記のとおり：
・前記予め定められたステップは、１２又は２４時間に等しい；
・この日付システムは歯車列を含み、歯車列は、３１日で完全に一回転するように減速ギヤによって時間測定システムに永久接続する駆動ホイールを含む；
・この日付システムの歯車列は、時間測定システムの時間ホイールとかみ合う；
・この歯車列は日付表示の動く針を駆動する被駆動ホイールを更に含み、そして、修正動作がなされないときに、前記駆動ホイールが被駆動ホイールを駆動するように、修正デバイスは被駆動ホイールと接続手段に接続する中間ホイールを含む；
・この接続手段は、この被駆動ホイールに取り付けられ、かつ、駆動ホイールと一体化された又は駆動ホイールに固定されたジャンパスプリングと関連した星形歯によって形成され、中間ホイールが起動されるときに、被駆動ホイールと駆動ホイール間の相対的な動きは、前記時間の動きに対する駆動ホイールの前記連続的な動きの関係を妨害しない；
・星形歯は、前記１２時のステップのための６２個の歯と前記２４時のステップのための３１個の歯とから成る；
・この日付表示は、針又はディスクを有するタイプのものである；
・この日付システムは、少なくとも月の日にちを表示する。
【０００８】
他の特徴及び効果は、添付の図面を参照して、非限定的な例示としての記述から、明らかになる。
【図面の簡単な説明】
【０００９】
【図１】本発明による時計のブロック線図である。
【図２】本発明による時計表示の説明図である。
【図３】図２の拡大図である。
【図４】本発明によるある日付システムの一部の図である。
【図５】図４の線Ａ-Ａの断面図である。
【図６】本発明による修正動作を示す図３に類似の説明図である。
【図７】本発明の変形による時計表示の部分図である。
【発明を実施するための形態】
【００１０】
図１に示す例は、本発明による時計１のブロック線図を示す。この時計は、ケース３を含み、このケース内には、好ましくはケース３から突き出し、時計１の表示装置９を修正するための少なくとも１つの制御手段７によって制御される機械的なムーブメント５が取り付けられている。
【００１１】
時計ムーブメント５は、時間測定システム１１と日付システム１３を含む。時間測定システム１１は、時間を表示するためにある、即ち時間表示手段２の動く部分（針）を駆動するためにある。図１と図２に示す例において、時計１の表示装置９は、動く針４、６と時間サークル８を有するタイプの時間表示手段２を含む。時間測定システム１１は、また、修正デバイス１０を含み、この修正デバイス１０により、時間表示手段２の動く針４、６は制御部材７を起動させることによって変更される。
【００１２】
日付システム１３は、少なくとも月の日にちを表示するためにある、即ち日付表示手段１４の動く部分を駆動するためにある。図１と図２に示す例において、時計１の表示装置９は、動く針１６と日付サークル１８を有するタイプの時間表示手段１４を含む。日付システム１３は、また、修正デバイス１２を含み、この修正デバイス１２により、時間表示手段１４の動く部分（針）１６が、また、好ましくは制御部材７を起動させることによって変更される。制御部材７は、従って、好ましくは時計ムーブメント５の修正デバイス１０と１２の両方を制御する。
【００１３】
本発明によれば、日付システム１３は、連続的に動く表示手段１４を含む。図２と図３に示すように、これは、針１６が連続したジャンプで動くのではなく、連続的に動いて、日の進みを示すことを意味する。従って、図３の２番目の日付の境界で示すように、時間表示手段２が、朝時間を表示しているのかそれとも午後時間を表示しているのかを、直ちに知ることができる。これは、また、日付システム１３のエネルギー消費が、時計１の動作の間、ほぼ一定であり、このことにより、時間測定システム１１のバランスの振幅の変動を回避することを意味する。
【００１４】
更に、日付システム１３は、修正動作の間、時間の動きに対する連続的な動きの関係を維持しながら、好ましくは、予め定められた１２又は２４時のステップにおいて、即ち、一日又は半日によって、また、一日の任意の時間に、即ち真夜中頃を含んで、表示手段１４を修正することができる修正デバイス１２を含む。
【００１５】
これを達成するために、日付システム１３は、主に歯車列１５とその修正デバイス１２と、接続手段１７を含む。図４と図５に示すように、歯車列１５は、駆動ホイール２１が３１日で完全に一回転するように減速ギヤ２３によって時間測定システム１１に永久接続された駆動ホイール２１を含む。また、日付システム１３の歯車列１５は、時間測定システム１１の時間ホイール（図示せず）と噛み合う。
【００１６】
図４と図５に示す例において、歯車列１５は、また、管状の部分２２を介して表示手段１４の動く部分（針）１６を駆動するための被駆動ホイール２５を含む。従って、明らかなことは、被駆動ホイール２５は、管状の部分２２の周辺部に固定的に取り付けられるということである。
【００１７】
日付システム１３の修正デバイス１２は、管状の部分２２と一体化されたピニオン２４を介して被駆動ホイール２５に接続する中間ホイール２７を含む。修正デバイス１２は、また、修正動作の間、時間の動きに対する連続的な動きの関係を維持するために、駆動ホイール２１と被駆動ホイール２５間に挿入される接続手段１７を含み、しかも、前記修正動作がなされていないとき、駆動ホイール２１は被駆動ホイール２５を駆動する。
【００１８】
好ましくは、図４と図５に示すように、接続手段は、被駆動ホイールに取り付けられ、かつ、駆動ホイール２１と一体化されたジャンパ・スプリングに関連した星形歯２６によって形成され、中間ホイール２７が制御部材７によって起動されるときに、被駆動ホイール２５と駆動ホイール２１間の相対的な動きは、前記時間の動きに対する駆動ホイール２１の前記連続的な動きの関係を妨害しない。従って、明らかなことは、修正デバイス１２は、時間測定システム１１に対して日付システム１３を外す（非結合にする）ことを回避し、これにより、表示手段１４の針１６の進みと表示手段２の針４、６の進みとの間のあらゆる不一致を阻止するということである。その結果として、有利には、本発明によれば、表示装置９は、常に同期する。
【００１９】
更に、有利には、本発明によれば、この日付は、図６に示すように、予め定められた１２時（矢印Ａ）又は２４時（矢印Ｂ）のステップにおいて、即ち、一日又は半日によって、単に歯２６の歯の数を変更することによって変更することができる。従って、半日（矢印Ａ）の修正ステップがデバイス１２に必要とされるならば、歯２６は、６２個の歯を含む、そして、図４に示すように、一日（矢印Ｂ）の修正ステップが修正デバイス１２に必要とされるならば、歯２６は３１個の歯を有することになろう。
【００２０】
日付システム１３の動作を、次に説明する。日付システム１３は、有利には一緒に動作することができる２つのモードで動作する。第１の永続的な日付表示モードと第２の日付表示修正モードがあり、それらは同時に動作することができる。重要なことは、両方のモードにおいて、日付システム１３と時間測定システム１１は、修正モードへの変更の間を含んで、日付表示手段１４の連続的な動きと時間表示手段２のそれとの間の或る一定の関係を保つように、永久接続される点に注目することである。
【００２１】
表示モードにおいて、この時間測定システム１１は、好ましくは時間ホイールによって、減速ギヤ２３を介して駆動ホイール２１が３１日で回転するのに必要なエネルギーを供給する。ジャンパ・スプリング２９は、アーバー２８とピボット３０を介して駆動ホイール２１と一体化されて取り付けられる。駆動ホイール２１は、かように連続的にジャンパ・スプリング２９の全体を駆動し、回転させる。被駆動ホイール２５の歯２６と接触するジャンパ・スプリング２９の端部は、また、歯２６を同一の連続した回転に駆動する。管状の部分２２は、被駆動部分と一体化され又は被駆動部分に固定されるので、また、この連続した回転と、付随的に、中間ホイール２７に逆回転を与える。表示手段１４の動く部分１６が管状の部分２２と一体化されているので、それらは前記連続的な回転をして、連続的に各日付のための日の進みを指し示す。
【００２２】
修正モードに変更するために、制御部材７は、修正デバイス１２に作用するように起動される。制御部材７は、それから中間ホイール２７を起動する。中間ホイール２７の動きは、ピニオン２４によって、次に管状の部分２２によって、そして、最後に被駆動ホイール２５によって伝達されるのだが、表示手段１４を修正するために被駆動ホイール２５と駆動ホイール２１（被駆動ホイール２５に一体化又は固定される）間の相対的な動きができるように、表示モードの駆動ホイール２１の連続的な回転に影響を及ぼさずに、接続手段１７に外れる（非結合となる）ことを強いる。
有利には、図４に示す例において、中間ホイール２７の動きは、被駆動ホイール２５と一緒に動く歯２６によって、ジャンパ・スプリング２９に離れて動くことを強いる。
【００２３】
先に説明したように、有利には、歯２６の歯の数に応じて、ジャンパ・スプリング２９によって通過される各歯は、１２時又は２４時によって、図６に示すように、即ち一日（矢印Ｂ）又は半日（矢印Ａ）によって予め定められた修正ステップとなる。それから、制御部材７をブロックすることによって、接続手段１７は、弾力的に時間の進みに対する日付の進み、即ち駆動ホイール２１の方位に対して被駆動ホイール２５の方位を再調整する。
【００２４】
勿論、この発明は、図示の例に限らず、当業者なら様々な変形及び改変ができる。
【００２５】
特に、図７に示すように、動く針１６と日付サークル１８を有する日付表示手段１４を固定されたインデックス１６’と動く日付サークル１８’を有する他の手段によって、例えば、本発明のこの利点を減らさずに、開口２０’を用いて置換することは可能である。
【００２６】
日付システム１３の修正デバイス１２の制御手段７は、時間測定システム１１の修正デバイス１０に関して同じでなくてよいし、プッシュ−ピース又はクラウン（竜頭）であっても同等に差し支えない。
【００２７】
接続手段１７は、星形歯２６及びジャンパ・スプリング２９を有する手段に限らないし、例えば、マルタ十字及び修正フィンガーを有する接続手段と置き換えることができる。
【００２８】
最後に、日付システム１３は、日付の表示に限らない。例えば、日、月、年、週の数及び／又は月齢のような他の表示を、表示することもできる。
【符号の説明】
【００２９】
１：時計
２：時間表示
３：ケース
４、６：針
５：時計ムーブメント
７：制御部材
８：時間サークル
９：表示装置
１０：修正デバイス
１１：時間測定システム
１２：修正デバイス
１３：日付システム
１４：日付表示
１５：歯車列
１６：動く針
１６’：インデックス
１７：接続手段
１８、１８’：日付サークル
２０’：開口
２１：駆動ホイール
２２：管状の部分
２３：減速ギヤ
２４：ピニオン
２５：被駆動ホイール
２６：星形歯
２７：中間ホイール
２８：アーバー
２９：ジャンパ・スプリング
３０：ピボット
【図１】
0005453540.tif 000002
【図２】
0005453540.tif 000003
【図３】
0005453540.tif 000004
【図４】
0005453540.tif 000005
【図５】
0005453540.tif 000006
【図６】
0005453540.tif 000007
【図７】
0005453540.tif 000008